(57)【要約】【課題】  移動筒のガタつきを防止する。【解決手段】  レンズ装置３１には、移動筒４０、ガイドリング３８、スプリング８０が設けられている。移動筒４０は、ガイドリング３８のガイド溝５８と係合する突起５４を備え、ガイド溝５８に沿ってスライド移動する。コイルスプリング８０は、一端が移動筒４０に、他端がガイドリング３８にそれぞれ取り付けられ、移動筒４０の外周を取り巻くように配置される。コイルスプリング８０は、移動筒４０の前部５０に対して、径が一回り小さく、また、長さが長く形成され、巻き戻すように逆方向にねじられて径が広げられ、かつ、前後から押されて長さが縮められ、弾性変形した状態で配置される。これにより、移動筒４０が、コイルスプリング８０の復元力によって、順方向側、及び、後側に付勢され、ガタつくことなく移動される。【選択図】        図４
2006091340.tif 000002
【特許請求の範囲】
【請求項１】
移動レンズが組み込まれた移動筒と、前記移動筒の周方向への回転を規制し、かつ、前記移動筒をその軸方向へスライド自在に保持するガイド手段と、前記移動筒と係合し、回転することで前記移動筒を軸方向へ前後させる回転筒とを備えたレンズ駆動装置において、
前記移動筒の周方向への微動を阻止するように、前記移動筒を周方向へ向けて付勢する手段と、前記移動筒の軸方向への微動を阻止するように、前記移動筒を軸方向へ向けて付勢する手段とのうち少なくとも一方を備えたことを特徴とするレンズ駆動装置。
【請求項２】
前記移動筒を周方向へ向けて付勢する手段、及び、前記移動筒を軸方向へ向けて付勢する手段は、前記移動筒の外周を取り巻くように配置され、一端が装置本体に、他端が前記移動筒にそれぞれ取り付けられ、ねじり方向への復元力によって前記移動筒を周方向へ向けて付勢するとともに、軸方向への復元力によって前記移動筒を軸方向へ向けて付勢するコイルバネであることを特徴とする請求項１記載のレンズ駆動装置。
【請求項３】
移動レンズが組み込まれた移動筒と、前記移動筒に形成された突起又は溝と係合することで、前記移動筒の周方向への回転を規制し、かつ、前記移動筒をその軸方向へスライド自在に保持するガイド手段と、前記移動筒と係合し、回転することで前記移動筒を軸方向へ前後させる回転筒とを備えたレンズ駆動装置において、
前記突起又は溝を磁力によって前記移動筒の周方向へ向けて付勢して、前記移動筒の周方向への微動を阻止する付勢手段を設けたことを特徴とするレンズ駆動装置。
【請求項４】
前記付勢手段は、前記突起又は溝と前記ガイド手段とのうちいずれか一方に設けられる鉄片と、他方に設けられる磁石とから構成されることを特徴とする請求項３記載のレンズ駆動装置。
【請求項５】
前記付勢手段は、前記突起又は溝と前記ガイド手段との両方に設けられる鉄片と、これら鉄片の間に挟まれるように配置され、前記移動筒の軸と垂直な軸を有し、前記移動筒の軸方向に回動自在に設けられる円筒形状の磁石とから構成されることを特徴とする請求項３記載のレンズ駆動装置。
【請求項６】
円筒形状のマグネットロータと、このマグネットロータを取り囲むように配置されるステータとを有し、前記ステータの内周に形成した磁場によって前記マグネットロータを回転させる中空状のステッピングモータを備え、
前記回転筒は、前記マグネットロータの内周側に取り付けられ、前記ステッピングモータにより回転駆動されることを特徴とする請求項１〜５いずれか記載のレンズ駆動装置。
【請求項７】
請求項１〜６いずれか１つ記載のレンズ駆動装置を備えたことを特徴とする撮像装置。
【請求項８】
請求項１〜６いずれか１つ記載のレンズ駆動装置を備えたことを特徴とする光学装置。
【発明の詳細な説明】
【技術分野】
【０００１】
本発明は、移動レンズが組み込まれた移動筒と、前記移動筒の周方向への回転を規制し、かつ、前記移動筒をその軸方向へスライド自在に保持するガイド手段と、前記移動筒と係合し、回転することで前記移動筒を軸方向へ前後させる回転筒とを備えたレンズ駆動装置、及び、撮像装置、光学装置に関するものである。
【背景技術】
【０００２】
近年、ＣＣＤイメージセンサやＣＭＯＳ型イメージセンサなどの固体撮像素子を用いた撮像装置（デジタルカメラ）が携帯電話機やＰＤＡなどの小型の情報端末機器に組み込まれている。デジタルカメラは撮影レンズで光学的に得た被写体像を固体撮像素子により撮像信号に変換し、電子的にその画像を撮影、記録するもので、固体撮像素子の小型化及び画素の高密度化に伴ってその撮影機能も高められてきている。
【０００３】
デジタルカメラの中には、フォーカスレンズやズームレンズなどの移動レンズを移動させることによって焦点調節や変倍を行えるようにしたものもある。このように移動レンズを移動させるレンズ駆動装置としては、移動レンズの組み込まれた移動筒と、この移動筒とカム機構を介して係合される回転筒とを備え、回転筒を回転させることによって、移動筒をその軸方向に前後させて移動レンズを移動させるものがある（例えば、下記特許文献１参照）。
【０００４】
また、このレンズ駆動装置では、移動筒の外周に突起を形成し、この突起をカメラ本体に設けられたガイド溝と係合させることで、移動筒を軸方向にスライドさせ、移動に伴ってレンズが回転しないようになっている。こうすることで、焦点調節や変倍時にレンズの偏芯によって像がずれてしまうなどといった問題を防止することができる。
【特許文献１】特昭開５９−１０９００７号公報
【発明の開示】
【発明が解決しようとする課題】
【０００５】
ところで、上記特許文献１記載の装置では、移動レンズをスムーズに移動させるために、移動筒の突起とカメラ本体のガイド溝との間、及び、移動筒と回転筒とを連結するカム機構にある程度の隙間が必要である。しかしながら、この隙間によって、移動筒が微動して、ガタついてしまうといった問題がある。
【０００６】
本発明は、移動筒のガタつきを防止することのできるレンズ駆動装置、及び、撮像装置、光学装置を提供することを目的としている。
【課題を解決するための手段】
【０００７】
上記目的を達成するために、本発明のレンズ駆動装置は、移動筒の周方向への微動を阻止するように、移動筒を周方向へ向けて付勢する手段と、移動筒の軸方向への微動を阻止するように、移動筒を軸方向へ向けて付勢する手段とのうち少なくとも一方を備えたことを特徴としている。
【０００８】
移動筒を周方向へ向けて付勢する手段、及び、移動筒を軸方向へ向けて付勢する手段は、移動筒の外周を取り巻くように配置され、一端が装置本体に、他端が移動筒にそれぞれ取り付けられ、ねじり方向への復元力によって移動筒を周方向へ向けて付勢するとともに、軸方向への復元力によって移動筒を軸方向へ向けて付勢するコイルバネであることが好ましい。
【０００９】
また、本発明のレンズ駆動装置は、移動筒の突起又は溝を磁力によって移動筒の周方向へ向けて付勢して、移動筒の周方向への微動を阻止する付勢手段を設けたことを特徴としている。付勢手段を、前記突起又は溝と前記ガイド手段とのうちいずれか一方に設けられる鉄片と、他方に設けられる磁石とから構成してもよい。また、付勢手段を、前記突起又は溝と前記ガイド手段との両方に設けられる鉄片と、これら鉄片の間に挟まれるように配置され、前記移動筒の軸と垂直な軸を有し、前記移動筒の軸方向に回動自在に設けられる円筒形状の磁石とから構成してもよい。
【００１０】
円筒形状のマグネットロータと、このマグネットロータを取り囲むように配置されるステータとを有し、前記ステータの内周に形成した磁場によって前記マグネットロータを回転させる中空状のステッピングモータを備え、前記回転筒を、前記マグネットロータの内周側に取り付け、前記ステッピングモータにより回転駆動することが好ましい。
【００１１】
また、本発明の撮像装置は、上記のレンズ駆動装置を用いて移動レンズを移動させることを特徴としている。さらに、上記レンズ駆動装置を用いて光学装置を構成してもよい。
【発明の効果】
【００１２】
本発明によれば、移動筒をその周方向へ向けて付勢し、移動筒の周方向への微回動を阻止するようにしたので、移動筒のガタつきを防止することができる。また、移動筒をその軸方向へ向けて付勢すれば、移動筒の軸方向へのガタつきを防止することができるので、移動筒のガタつきをより確実に防止することができる。
【発明を実施するための最良の形態】
【００１３】
本発明の撮像装置を搭載したカメラ付き携帯電話について以下説明する。図１および図２において、カメラ付き携帯電話１０の外装は、前カバー１２と後カバー１４とから構成され、これらの間に各種電子部品が取り付けられた回路基板が配置されている。
【００１４】
カメラ付き携帯電話１０の前面側には、各種操作を行うための操作部１６や、各種表示を行うための液晶表示パネル（ＬＣＤ）１８や、通話の際に使用される受話スピーカ２０及び送話マイク２２が設けられている。カメラ付き携帯電話１０の背面側には、電源供給を行うためのバッテリー２４が着脱自在に設けられる他、撮像装置３０（図７参照）を構成するレンズ装置３１が設けられている。そして、カメラ付き携帯電話１０の背面側からは、レンズ装置３１に組み込まれた撮影レンズ３２が露呈している。
【００１５】
カメラ付き携帯電話１０は、受話スピーカ２０と送話マイク２２により通話を行う通話モードと、撮影レンズ３２を通して得られる被写体光をデジタルな画像データとして内蔵メモリ３４（図７参照）に記憶するカメラモードとを備え、操作部１６を操作することで各モード間の切り替えを行うことができる。また、操作部１６を操作することで、通話モードにおいては電話番号の入力、カメラモードにおいてはシャッタレリーズなど各種の操作を行うことができる。ＬＣＤ１８には、内蔵メモリ３４に記憶された画像や、メニュー画面などの各種情報画面が表示される他、カメラモードにおいてはいわゆるスルー画が表示され、フレーミングを行えるようになっている。
【００１６】
図３、図４に示すように、レンズ装置３１は、ガイドリング３８、移動筒４０、回転筒４２、固定筒４４を含んで構成され、移動筒４０内に撮影レンズ３２が組み込まれている。撮影レンズ３２は、移動レンズであり、第１レンズ３２ａ、第２レンズ３２ｂ、第３レンズ３２ｃから構成される。撮影レンズ３２は、光軸４６に沿って入射した被写体光を、第１〜第３レンズ３２ａ、３２ｂ、３２ｃにより屈折させて、レンズ装置３１の背後に配置されたＣＣＤ４８の受光面に結像させる。詳しくは後述するが、本実施形態では、移動筒４０を移動させることで撮影レンズ３２を移動させ、ピント調節を行っている。
【００１７】
移動筒４０は、被写体側の前部５０とＣＣＤ４８側の後部５２とで、外径の異なる段付き形状をしている。そして、前部５０のさらに先端には２つの突起５４が形成され、後部５２には外周に沿って雄ヘリコイド５６が形成されている。移動筒４０の前部５０にはガイドリング３８が配置され、後部５２には、回転筒４２が配置される。
【００１８】
ガイドリング３８は、移動筒４０の外周を取り囲むように配置され、カメラ付き携帯電話１０の後ケース１４に固定されている。ガイドリング３８の内周には、２つの突起５４と係合する２つのガイド溝５８が形成されている。移動筒４０は、ガイドリング３８によって周方向への回転が規制され、また、光軸４６方向にスライド自在に保持される。移動筒４０がスムーズにスライドできるように、２つのガイド溝５８を含むガイドリング３８の内周は、２つの突起５４を含む移動筒４０の外周よりも若干大きめに形成される。
【００１９】
回転筒４２は、移動筒４０の後部５２の外周を取り囲むように配置され、回転筒４２の内周には移動筒４０の雄ヘリコイド５６と係合する雌ヘリコイド６０が形成されている。
回転筒４２と移動筒４０とは、ヘリコイド５６、６０から構成されるヘリコイド繰り出し機構によって連結される。そして、回転筒４２を回転させることによって、移動筒４０がガイドリング３８のガイド溝５８に沿って光軸４６方向にスライド移動する。回転筒４２を被写体側から見て時計回り（順方向）に回転させることで、移動筒４０が前方へ移動し、回転筒４２を被写体側から見て反時計回り（逆方向）に回転させることで、移動筒４０が後方へ移動する。
【００２０】
また、回転筒４２は、固定筒４４とともにクローポール式の中空ステッピングモータを構成する。このため、図５に示すように、回転筒４２の外周には、周方向に沿ってＮ極、Ｓ極を交互に形成する円筒形状のマグネット４２ａが設けられている。こうすることで、回転筒４２は、中空ステッピングモータの回転子（ロータ）として機能し、固定筒４４がその内周に形成する磁場によって回転駆動される。
【００２１】
他方、固定筒４４は、回転筒４２のさらに外側に配置され、カメラ付き携帯電話１０の本体部に固定され、中空ステッピングモータの固定子（ステータ）として機能する。固定筒４４は、それぞれ内部にコイルの設けられた第１コイル部６４、第２コイル部６８とから構成される。
【００２２】
第１コイル部６４は、例えば、鉄などの磁性材料にて生成されたヨーク内に、コイルが収められたものである。ヨークには略矩形波状のギャップが形成され、このギャップにより、第１コイル部６４の内周には、互いに噛み合う歯６４ａ、６４ｂが形成されている。
【００２３】
第１コイル部６４に対して順方向（図中時計回り）の通電を行うと、コイルで電流を中心とした同心円状の磁力線が発生する（いわゆる右ねじの法則）。発生した磁力線は、磁性材料で成型されたヨークの内部を通過しようとし、歯６４ｂに達したところで一旦空気中に放出される。放出された磁力線はギャップを越え、歯６４ａから再びヨーク内に入る。これにより、歯６４ａにＳ極、歯６４ｂにＮ極の磁場が形成される。反対に、第１コイル部６４に対して逆方向（図中反時計回り）の通電を行うと、磁力線の流れが反対になるので、歯６４ａにＮ極、歯６４ｂにＳ極の磁場が形成される。
【００２４】
同様に、第２コイル部６８の内周には、歯６８ａ、６８ｂが形成され、第２コイル部６８に順方向の通電を行うことで歯６８ａがＳ極に、歯６８ｂがＮ極に磁極化され、逆方向の通電を行うことで歯６８ａがＮ極に、歯６８ｂがＳ極に磁極化される。また、第１コイル部６４と第２コイル部６８は、第１コイル部６４の歯６４ａ、６４ｂの位置に対して、第２コイル部６８の歯６８ａ、６８ｂの位置が、歯半個分だけずらされた状態で並べられている。
【００２５】
回転筒４２を順方向に回転させる場合は、先ず図６（Ａ）に示すように、第１コイル部６４に対して順方向に通電する。順方向に通電された第１コイル部６４は、歯６４ａをＳ極に、歯６４ｂをＮ極に磁極化し、回転筒４２の対をなす磁極のそれぞれを引き付ける。次に、同図（Ｂ）に示すように、第２コイル部６８に対して順方向に通電する。第２コイル部６８の歯６８ａ、６８ｂの位置は、第１コイル部６４の歯６４ａ、６４ｂの位置に対して歯半個分ずらされているので、磁極化した第２コイル部６８の歯６８ａ、６８ｂのそれぞれに引き付けられて、回転筒４２が順方向に歯半個分だけ回転する。
【００２６】
以下同様に、同図（Ｃ）に示すように、第１コイル部６４に対して逆方向に通電した後、同図（Ｄ）に示すように、第２コイル部６８に対して逆方向に通電し、同図（Ａ）の手順に戻って繰り返すことにより、回転筒４２が順方向に回転する。一方、回転筒４２を逆方向に回転させる際には、第１コイル部６４へ順方向、第２コイル部６８へ逆方向、第１コイル部６４へ逆方向、第２コイル部６８へ順方向、という順番で通電を繰り返すことにより、回転筒４２が逆方向に回転する。
【００２７】
このように、レンズ装置３１では、回転筒４２と固定筒４４とで中空ステッピングモータを構成しているので、スペース効率が良く、小型化が可能となる。もちろん、固定筒４４に代えてモータに接続された歯車を用い、回転筒４２の外周にこの歯車と歯合するギア列を設け、モータの回転を制御することによって回転筒４２を回転させてもよい。
【００２８】
しかし、このようなレンズ装置３１には、前述のように、移動筒４０の突起５４とガイドリング３８のガイド溝５８との間、及び、移動筒４０の雄ヘリコイド５６と回転筒４２の雌ヘリコイド６０との間に隙間があるため、移動筒４０が微動してガタついてしまうといった問題がある。この問題を防止するため、レンズ装置３１には、コイルスプリング８０が設けられている。
【００２９】
コイルスプリング８０は、前端部８０ａ、後端部８０ｂがともに光軸４６と平行となるように折り曲げて形成され、前端部８０ａがガイドリング３８の後端面に設けられた保持穴８２に嵌め込まれ、また、後端部８０ｂが移動筒４０の段付き部分に設けられた保持穴８４に嵌め込まれ、移動筒４０の前部５０を取り巻くように配置される。
【００３０】
また、コイルスプリング８０は、移動筒４０の前部５０に対して、径が一回り小さく、また、長さが長く形成されている。そして、コイルスプリング８０は、巻き戻すように逆方向にねじられて径が広げられ、かつ、前後から押されて長さが縮められ、弾性変形した状態で配置される。これにより、移動筒４０が、コイルスプリング８０の復元力によって、順方向側、及び、後側に付勢される。
【００３１】
図７に、上記構成のレンズ装置３１を用いた撮像装置３０の電気的構成を機能ブロックで示す。撮像装置３０には、各部の統括制御をおこなうために、マイクロコンピュータで構成されたシステムコントローラ９０を備えている。システムコントローラ９０は、データバス９２を介して撮像装置３０の各部と接続され、操作部１６からの入力操作に応答して接続された各部の作動を管制する。
【００３２】
レンズ装置３１の背後に配置されたＣＣＤ４８は、周知のように、受光面に多数の光電変換素子が配列されており、撮影レンズ３２によって結像された被写体光を光電変換し、撮像信号として取得する。カメラ付き携帯電話１０がカメラモードに切り替えられると、システムコントローラ９０は、ＣＣＤ４８を駆動して撮像信号を取得する。
【００３３】
ＣＣＤ４８から順次に出力されてくる撮像信号は、利得可変型のプリアンプ９４で適切なレベルに増幅され、Ａ／Ｄコンバータ９６によりデジタル化された画像データに変換される。こうして得られた画像データは、フレームメモリ９８に順次書き込まれる。フレームメモリ９８は、画像データ処理回路１００、及び、ＡＦ制御部１０２が画像データに対して各種画像処理を施すための作業用メモリであり、画像データが一時的に記憶される。
【００３４】
画像データ処理回路１００は、フレームメモリ９８に記憶された画像データに対して、ガンマ補正、ホワイトバランス補正、画質補正など周知の画像処理を施す。画像データ処理回路１００よるそれぞれの画像処理が加えられた画像データは、ＬＣＤドライバ１０４を介してＬＣＤ１８にスルー画表示され、あるいは、メモリコントローラ１０５を介して内蔵メモリ３４へ記録される。
【００３５】
ＡＦ制御部１０２は、フレームメモリ９８に記憶された画像データに基づいてピント調節を行う。ＡＦ制御部１０２は、レンズ装置３１の固定筒４４に設けられた第１、第２の各コイル６２、６６への通電を制御して移動筒４０を移動させ、移動筒４０に組み込まれた撮影レンズ３２の位置を調節することでピント調節を行う。ＡＦ制御部１０２は、撮影レンズ３２を前後に移動させながら得られた画像データのコントラスト成分が最も高くなる撮影レンズ３２の位置を合焦度の高いピント位置として検出し、検出したピント位置へ撮影レンズ３２を移動させる。これによってピント調節が完了する。
【００３６】
以下、上記構成による本発明の作用について説明する。カメラ付き携帯電話１０がカメラモードにセットされると、ＣＣＤ４８による撮像信号の取得が開始される。ＡＦ制御部１０２は、取得された画像データに基づきピント調節を行う。ピント調節においては、固定筒４４の第１、第２の各コイル６２、６６に通電を行うことによって、回転筒４２が回転される。回転筒４２は、ヘリコイド５６、６０を介して移動筒４０が連結されており、回転筒４２の回転に伴って、ガイドリング３８に設けられたガイド溝５８に沿って移動筒４０が光軸４６方向にスライド移動される。
【００３７】
移動筒４０は、コイルスプリング８０によって順方向に付勢されているので、ガイド溝５８の順方向側の側壁に、突起５４を当接させた状態が保たれる。これにより、移動筒４０がその周方向ガタ付いてしまうことがない。また、移動筒４０は、コイルスプリング８０によって光軸４６方向の後側（ＣＣＤ４８側）にも付勢されているので、ヘリコイド５６、６０間の隙間によって前後に微動し、ガタついてしまうといったこともない。
【００３８】
このように、本発明によれば、移動筒を付勢することによって、移動筒のガタ付きを防止することができる。また、１つのコイルスプリングによって、移動筒をその周方向と軸方向とに付勢しているので、効率よく移動筒のガタつきを防止することができる。
【００３９】
上記実施形態では、移動筒を順方向へ向けて付勢する例で説明をしたが、移動筒を逆方向へ向けて付勢するようにしてもよい。また、移動筒に突起を設け、ガイドリングにガイド溝を設ける例で説明をしたが、移動筒にガイド溝を設け、ガイドリングに突起を設けてもよい。
【００４０】
なお、上記実施形態では、コイルスプリングによって移動筒を付勢する例で説明をしたが、コイルスプリング以外のバネを用いて移動筒を付勢するようにしてもよい。また、バネを用いずに、磁力によって移動筒を付勢するといったことも考えられる。この場合、例えば、図８に示すように、移動筒１１０にプラスチックマグネット１１１からなる突起を設けるとともに、ガイドリング１１２に設けたガイド溝１１３の順方向側の側壁に鉄板１１４を配置する。こうすることで、プラスチックマグネット１１１が鉄板１１４に引きつけられて、移動筒１１０が順方向側に付勢される。もちろん、突起の側壁に鉄板を設け、ガイド溝の側壁にマグネットを設けてもよい。また、突起の側壁、及び、ガイド溝の側壁に同じ極性を有するマグネットを配置して、マグネット同士が反発する力を利用して移動筒を付勢するようにしてもよい。
【００４１】
さらに、図９に示すように、移動筒１２０に設けた突起１２１とガイドリング１２２に設けた突起１２３との両方を、マグネット１２６によって引きつけるようにしてもよい。この例では、同図（Ａ）に示すように、突起１２１、１２３に、それぞれ互いに向き合う平面部を設け、突起１２１の平面部に鉄板１２４を配置し、突起１２３の平面部に鉄板１２５を配置している、そして、鉄板１２４、１２５間にマグネット１２６を配置している。また、この例では、マグネット１２６を円筒形状とし、同図（Ｂ）に示すように、マグネット１２６の側面が鉄板１２４、１２５と当接するようになっている。こうすることによって、移動筒１２０とガイドリング１２２との摩擦抵抗を低減させ、移動筒１２０をスムーズに移動させることができる。
【００４２】
また、マグネットとして、コイルに通電を行うことで磁力を発生させる着磁機を用いてもよい。この場合、例えば、図１０に示すように、移動筒１３０の突起として、一方の側壁１３１ａがＮ極、他方の側壁１３１ｂがＳ極に磁極化されたマグネット１３１を用いる。また、ガイド溝に代えて、突起１３１を両側から挟み込むように略Ｃ字形状の着磁機１３３を用いる。そして、着磁コイル１３４に通電することで、着磁機１３３の一端１３３ａをＮ極に、他端１３３ｂをＳ極に磁極化する。こうすることで、突起１３１の側壁１３１ａ、１３１ｂと着磁機１３３の端部１３３ａ、１３３ｂとがそれぞれ反発し合って、移動筒１３０が順方向と逆方向との両側から付勢され、移動筒１３０のガタつきを防止することができる。
【００４３】
なお、上記実施形態では、移動筒と回転筒とをヘリコイド繰り出し機構によって連結する例で説明をしたが、本発明はこれに限定されるものではない。例えば、移動筒に形成したカムピンと、回転筒に形成され、移動筒のカムピンと係合するカム溝とから構成されるカム機構によって移動筒と回転筒とを連結してもよい。
【００４４】
また、上記実施形態では、移動筒を移動させることでピントの調節を行う例で説明をしたが、移動筒を移動させることでズーミングを行うようにしてもよい。さらに、移動筒を２つ設けて、ピント調節とズーミングの両方を行うようにしてもよい。これらいずれの場合においても、移動筒をその周方向や軸方向に付勢することによって、移動筒が移動する際のガタつきを防止することができる。
【００４５】
なお、上記実施形態では、ＣＣＤを用い、この受光面に結像される画像のコントラストに基づいて、ピント調節を行う例で説明をしたが、ＣＣＤに代えて、例えば、発光部と受光部を有し、発光部からの光が照射対象で反射されて受光部に入射するまでの時間から照射対象までの距離を測定する測距センサを設け、この測距センサによって被写体までの距離を測定し、測定された距離に基づいてピント調節を行ってもよい。
【００４６】
以上、カメラ付き携帯電話に内蔵されたデジタルカメラを例に説明をしたが、本発明はこれに限定されるものではなく、写真フイルムに被写体像を焼き付けて画像の記録を行う、いわゆる銀鉛カメラに対しても本発明を適用することができる。さらに、本発明は、プロジェクタなどの投影装置や、ＣＤ−ＲＯＭ、ＤＶＤなどに記録されたデータを読み取る際に用いられるピックアップレンズ装置など、カメラ以外の光学装置に対して広く適用することができる。
【図面の簡単な説明】
【００４７】
【図１】カメラ付き携帯電話の前面側の斜視図である。
【図２】カメラ付き携帯電話の背面側の斜視図である。
【図３】レンズ装置の断面図である。
【図４】レンズ装置の斜視図である。
【図５】回転筒と固定筒とから構成される中空ステッピングモータの説明図である。
【図６】回転筒を順方向へ回転させる手順を表す説明図である。
【図７】撮像装置の構成図である。
【図８】磁力によって移動筒を付勢した例を表す説明図である。
【図９】磁力によって移動筒を付勢した別の例を表す説明図である。
【図１０】磁力によって移動筒を付勢したさらに別の例を表す説明図である。
【符号の説明】
【００４８】
１０    カメラ付き携帯電話
３０    撮像装置
３１    レンズ装置
３２    撮影レンズ
３８、１１２、１２２    ガイドリング
４０、１１０、１２０、１３０    移動筒
４２    回転筒
４２ａ    マグネット
４４    固定筒
５６    雄ヘリコイド
６０    雌ヘリコイド
６４    第１コイル部
６８    第２コイル部
８０    スプリング
１１１、１２６、１３１    マグネット
１１４、１２４、１２５    鉄板
１３３    着磁機
【図１】
2006091340.tif 000003
【図２】
2006091340.tif 000004
【図３】
2006091340.tif 000005
【図４】
2006091340.tif 000006
【図５】
2006091340.tif 000007
【図６】
2006091340.tif 000008
【図７】
2006091340.tif 000009
【図８】
2006091340.tif 000010
【図９】
2006091340.tif 000011
【図１０】
2006091340.tif 000012